(57)【要約】【課題】コンテナ状のボックス内に洗濯機や乾燥機などの機器を設置したユニットハウスにおいて、クレーン等による吊り上げ時の嵌め殺し窓の割れを防止したユニットハウスを提供する。【解決手段】垂直方向に延設された鋼材の上方位置に吊り金具を備え、嵌め殺し窓２２は、窓部材２３と、この窓部材２３の周縁部に嵌め込まれて固定される窓枠部材２４とから構成され、窓枠部材２４は、外周部に鍔部材２５を備えたものであり、フレーム２０は、嵌め殺し窓２２が取り付けられる内周部に、鍔部材２５とタッピングねじ２７により締結される鍔部材２６を備える。【選択図】図６
2010101102.tif 000002
【特許請求の範囲】
【請求項１】
垂直方向および水平方向にそれぞれ延設された直線状の鋼材により形成されたフレームに嵌め殺し窓が取り付けられたコンテナ状のボックス内に、予め工場内で機器が設置されるユニットハウスであって、
前記垂直方向に延設された鋼材の上方位置に吊り金具を備え、
前記嵌め殺し窓は、窓部材と、この窓部材の周縁部に嵌め込まれて固定される窓枠部材とから構成され、
前記窓枠部材は、外周部に鍔部材を備えたものであり、
前記フレームは、前記嵌め殺し窓が取り付けられる内周部に、前記鍔部材と締結部材により締結される鍔部材を備えたものである
ことを特徴とするユニットハウス。
【請求項２】
前記窓枠部材の鍔部材と前記フレームの鍔部材とは、上部および左右部のみ前記締結部材により締結されたものである請求項１記載のユニットハウス。
【請求項３】
前記締結部材は、タッピングねじである請求項１または２に記載のユニットハウス。
【請求項４】
前記鍔部材の外側および内側にコーキングを施したことを特徴とする請求項１から３のいずれかに記載のユニットハウス。
【請求項５】
前記窓枠部材の鍔部材と前記フレームの鍔部材との間にスペーサを備えた請求項１から４のいずれかに記載のユニットハウス。
【発明の詳細な説明】
【技術分野】
【０００１】
本発明は、洗濯機や乾燥機等の機器をコンテナ状のボックス内に装備したユニットハウスに関する。
【背景技術】
【０００２】
屋外に設置された建物内に洗濯機や乾燥機等の洗濯用機器を設置したコインランドリーがある。この種のコインランドリーは、通常、まず設置場所においてコンクリートの基礎を築き、この基礎上で建物を建築して、洗濯用機器を搬入することにより設置される。また、洗濯用機器は、振動が激しいため、基礎や建物等に対してボルト等により締結される。ところが、このように現地で建物の建築を行う場合、設置に多くの日数が掛かり、設置費用も高くなってしまうという問題がある。
【０００３】
このような問題を解決するものとしては、例えば特許文献１に記載のコインランドリーがある。このコインランドリーは、鉄骨材で部屋の枠組を予め工場にて製作し、この部屋の枠組をコインランドリーの設置場所に搬入して設置し、さらに、この枠組の床面に予め工場で製作した衣類洗濯機の振動を吸収して防振する防振床枠体を取り付け、この防振床枠体にコンクリートを流し込んで設置地面に固着させて、部屋の枠組を堅固に設置し、その後に衣類洗濯機を防振床枠体にボルト締結して設置し、さらに、部屋の枠組に内装、外装を施してなるものである。
【０００４】
また、特許文献２には、長方形箱状のシャワーユニット内に、予め内装、給排水設備、ガス管、電源が取り付けられた状態で搬送され、設置場所へ設置されるユニットハウスが記載されている。また、このユニットハウスは、シャワーユニットの正面出入口にドアが開閉可能に設けられ、周囲の側壁には複数の嵌め殺し窓が設けられている。さらに、シャワーユニットの屋根上における隅角部には複数の吊り金具が固着されており、クレーン等により吊り上げられる。
【０００５】
【特許文献１】特開２００３−１０５９９３号公報
【特許文献２】特開２００２−１８０６８３号公報
【発明の開示】
【発明が解決しようとする課題】
【０００６】
特許文献１に記載のコインランドリーは、枠組の状態で設置場所に搬入されるので、枠組を吊り上げての設置は容易である。一方、特許文献２に記載のユニットハウスの場合、シャワーユニットの形状が長方形箱状であって、予め内装や給排水設備等が取り付けられた状態で設置場所に搬入されるため、ユニットハウス全体の重量が大きく、吊り上げた際にシャワーユニットの長手方向の撓みが大きくなる。そのため、周囲の側壁に儲けられた嵌め殺し窓が割れる可能性があり、設置には注意が必要である。
【０００７】
そこで、本発明においては、コンテナ状のボックス内に洗濯機や乾燥機などの機器を設置したユニットハウスにおいて、クレーン等による吊り上げ時の嵌め殺し窓の割れを防止したユニットハウスを提供することを目的とする。
【課題を解決するための手段】
【０００８】
本発明のユニットハウスは、垂直方向および水平方向にそれぞれ延設された直線状の鋼材により形成されたフレームに嵌め殺し窓が取り付けられたコンテナ状のボックス内に、予め工場内で機器が設置されるユニットハウスであって、垂直方向に延設された鋼材の上方位置に吊り金具を備え、嵌め殺し窓は、窓部材と、この窓部材の周縁部に嵌め込まれて固定される窓枠部材とから構成され、窓枠部材は、外周部に鍔部材を備えたものであり、フレームは、嵌め殺し窓が取り付けられる内周部に、鍔部材と締結部材により締結される鍔部材を備えたものである。
【０００９】
本発明のユニットハウスでは、嵌め殺し窓の窓部材が、フレームに対して直接取り付けられずに、窓枠部材の鍔部材を介してフレームの鍔部材と締結部材により締結されている。したがって、このユニットハウス内に機器が設置された状態で吊り上げられた際のフレームの撓みは鍔部材と締結部材とによって吸収され、窓部材の割れが防止される。特に、このユニットハウスでは、垂直方向に延設された鋼材の上方位置に吊り金具を備えているので、窓部材の上辺部の撓みが最小となり、窓部材の割れが防止される。
【００１０】
ここで、窓枠部材の鍔部材とフレームの鍔部材とは、窓部材の全周に渡って締結されたものとすることも可能であるが、上部および左右部のみ締結部材により締結されたものであることが望ましい。これにより、ボックス内に設置された機器の重量が掛かる下部フレームと窓枠部材とが締結されないので、ボックス内の機器の重量による下部フレームの撓みが窓部材に伝わりにくくなり、さらに窓部材の割れを防止することができる。
【００１１】
また、締結部材としては、ボルト・ナットやリベットなどを用いることが可能であるが、タッピングねじを用いることが望ましい。これにより、一方向からタッピングねじを締め付けるだけで、窓枠部材の鍔部材とフレームの鍔部材とを締結することができる。
【００１２】
また、鍔部材の外側および内側には、コーキングを施すことが望ましい。これにより、コーキングが、締結部材を目隠しするとともに、クッションの役目を果たすようになるので、さらにフレームから窓部材に対して力が加わるのを防止することができる。
【００１３】
また、本発明のユニットハウスは、窓枠部材の鍔部材とフレームの鍔部材との間にスペーサを備えたものであることが望ましい。これにより、フレームが変形した際には、この変形分をスペーサにより形成した空間により吸収することができるため、さらに窓部材の割れを防止することが可能となる。
【発明の効果】
【００１４】
（１）垂直方向に延設された鋼材の上方位置に吊り金具を備え、嵌め殺し窓が、窓部材と、この窓部材の周縁部に嵌め込まれて固定される窓枠部材とから構成され、窓枠部材が、外周部に鍔部材を備えたものであり、フレームが、嵌め殺し窓が取り付けられる内周部に、鍔部材と締結部材により締結される鍔部材を備えたものであることにより、ユニットハウス内に機器が設置された状態で吊り上げられた際のフレームの撓みは鍔部材と締結部材とによって吸収され、窓部材の割れが防止される。特に、このユニットハウスでは、垂直方向に延設された鋼材の上方位置に吊り金具を備えているので、窓部材の上辺部の撓みが最小となり、窓部材の割れが防止される。
【００１５】
（２）窓枠部材の鍔部材とフレームの鍔部材とが、上部および左右部のみ締結部材により締結されたものであることにより、ボックス内に設置された機器の重量が掛かる下部フレームと窓枠部材とが締結されないので、ボックス内の機器の重量による下部フレームの撓みが窓部材に伝わりにくくなり、さらに窓部材の割れを防止することができる。
【００１６】
（３）締結部材としてタッピングねじを用いることにより、一方向からタッピングねじを締め付けるだけで、窓枠部材の鍔部材とフレームの鍔部材とを締結することができる。
【００１７】
（４）鍔部材の外側および内側にコーキングを施すことにより、コーキングが、締結部材を目隠しするとともに、クッションの役目を果たすようになるので、さらにフレームから窓部材に対して力が加わるのを防止することができる。
【００１８】
（５）窓枠部材の鍔部材とフレームの鍔部材との間にスペーサを備えたものであることにより、フレームが変形した際には、この変形分をスペーサにより形成した空間により吸収することができるため、さらに窓部材の割れを防止することが可能となる。
【発明を実施するための最良の形態】
【００１９】
図１は本発明のユニットハウスの一実施の形態におけるコインランドリーの正面図、図２は背面図、図３は右側面図、図４は左側面図、図５は平断面図、図６は図１のＡ−Ａ線断面図、図７は図１のＢ部拡大図である。
【００２０】
図１〜図５に示すように、本発明のユニットハウスの一実施の形態におけるコインランドリー１は、建物を構成するコンテナ状のコインランドリーボックス２内に、洗濯機３ａ，３ｂ，３ｃ、乾燥機４ａ，４ｂ，４ｃ，４ｄ，４ｅ、両替機５や洗面台６などの洗濯用機器が設置されたものである。コインランドリーボックス２は予め工場内で製作され、各洗濯用機器も工場内でコインランドリーボックス２内に設置、固定され、コインランドリーボックス２とともに設置場所までトレーラにより運搬される。
【００２１】
コインランドリーボックス２は、垂直方向および水平方向にそれぞれ延設された鋼材により形成されたフレーム２０に鋼板、ガラス板やベニヤ板などの面材を組み合わせることにより製作されるコンテナ状のボックスである。フレーム２０は、主に、Ｉ形鋼を溶接することによって長方形状に組まれた上部水平フレーム２０ａと、角形鋼管を溶接することによって井桁形状に組まれた下部水平フレーム２０ｂと、上部水平フレーム２０ａと下部水平フレーム２０ｂとの間に垂直方向に延設された垂直フレーム２０ｃとから構成されている。上部水平フレーム２０ａおよび下部水平フレーム２０ｂと垂直フレーム２０ｃとは溶接されている。上部水平フレーム２０ａの上面には、垂直フレーム２０ｃの上方位置に吊り金具２１が溶接されている。
【００２２】
また、コインランドリーボックス２の正面側および左側面側の上部水平フレーム２０ａ、下部水平フレーム２０ｂおよび垂直フレーム２０ｃにより囲まれた矩形部分には、嵌め殺し窓２２が取り付けられている。この嵌め殺し窓２２は、図６に示すように、ガラス板からなる窓部材２３と、この窓部材２３の周縁部に嵌め込まれて固定される断面コの字状の窓枠部材２４とから構成されている。また、窓枠部材２４には、外周部に帯板状の鍔部材２５が設けられている。鍔部材２５は、薄い帯板状の鋼材を窓枠部材２４に溶接することにより形成されている。
【００２３】
一方、上部水平フレーム２０ａおよび垂直フレーム２０ｃには、嵌め殺し窓２２が取り付けられる内周部に、鍔部材２５と締結される帯板状の鍔部材２６が設けられている。鍔部材２６は薄い帯板状の鋼材により形成されており、上部水平フレーム２０ａおよび垂直フレーム２０ｃに溶接されている。鍔部材２６は、窓枠部材２４の鍔部材２５と、上部水平フレーム２０ａおよび垂直フレーム２０ｃの鍔部材２６とは互いに重なり合う位置に設けられており、これらは所定間隔ごとに締結部材としてのタッピングねじ２７によって締結されている。また、鍔部材２５，２６の外側および内側にはコーキング２８が施されている。
【００２４】
また、コインランドリーボックス２の正面側の中央には、コインランドリーボックス２の外側に向かって開く観音式の開閉扉７が設けられている。この開閉扉７にも嵌め殺し窓７０が取り付けられている。
【００２５】
上記構成のコインランドリー１では、嵌め殺し窓２２の窓部材２３が、フレーム２０に対して直接取り付けられずに、窓枠部材２４の鍔部材２５を介してフレーム２０の鍔部材２６とタッピングねじ２７により締結されている。したがって、このコインランドリーボックス２内に各種洗濯用機器が設置された状態で吊り上げられた際のフレーム２０の撓みは鍔部材２５，２６とタッピングねじ２７とによって吸収され、窓部材２３の割れが防止される。特に、このコインランドリー１では、垂直方向に延設された垂直フレーム２０ｃの上方位置に吊り金具２１を備えているので、窓部材２３の上辺部の撓みが最小となり、窓部材２３の割れが防止される。
【００２６】
また、本実施形態におけるコインランドリー１では、窓枠部材２４の鍔部材２５とフレーム２０の鍔部材２６とが上部および左右部のみタッピングねじ２７により締結されており、コインランドリーボックス２内に設置された機器の重量が掛かる下部水平フレーム２０ｂと窓枠部材２４とが締結されていない。したがって、コインランドリーボックス２内の機器の重量による下部水平フレーム２０ｂの撓みが窓部材２３に伝わりにくくなり、さらに窓部材２３の割れを防止されている。なお、窓枠部材２４の鍔部材２５とフレーム２０の鍔部材２６とを窓部材２３の全周に渡って配設し、締結することも可能である。
【００２７】
また、本実施形態におけるコインランドリー１では、タッピングねじ２７を用いて窓枠部材２４の鍔部材２５とフレーム２０の鍔部材２６とを締結する構成であるため、一方向からタッピングねじ２７を締め付けるだけで良く、窓枠部材２４の鍔部材２５とフレーム２０の鍔部材２６とを容易に固定することができる。なお、締結部材としては、タッピングねじ２７に代えて、ボルト・ナットやリベットなどを用いることも可能である。
【００２８】
また、本実施形態におけるコインランドリー１では、鍔部材２５，２６の外側および内側にコーキング２８を施しているので、このコーキング２８がタッピングねじ２７を目隠しするとともに、クッションの役目を果たすようになる。したがって、さらにフレーム２０から窓部材２３に対して力が加わりにくくなっている。
【００２９】
なお、窓枠部材２４の鍔部材２５とフレーム２０の鍔部材２６との間に、スペーサを備える構成とすることも可能である。この場合、吊り上げ時にフレーム２０が変形した際には、この変形分をスペーサにより形成した空間により吸収することができるため、さらに窓部材２３の割れを防止することが可能である。
【産業上の利用可能性】
【００３０】
本発明は、洗濯機や乾燥機等の機器をコンテナ状のボックス内に装備したユニットハウスとして有用であり、特に、ボックス内に予め工場内で機器が設置され、クレーン等により吊り上げて設置場所に設置されるユニットハウスとして好適である。
【図面の簡単な説明】
【００３１】
【図１】本発明の実施の形態におけるコインランドリーの正面図である。
【図２】本発明の実施の形態におけるコインランドリーの背面図である。
【図３】本発明の実施の形態におけるコインランドリーの右側面図である。
【図４】本発明の実施の形態におけるコインランドリーの左側面図である。
【図５】本発明の実施の形態におけるコインランドリーの平断面図である。
【図６】図１のＡ−Ａ線断面図である。
【図７】図１のＢ部拡大図である。
【符号の説明】
【００３２】
１  コインランドリー
２  コインランドリーボックス
３ａ，３ｂ，３ｃ  洗濯機
４ａ，４ｂ，４ｃ，４ｄ，４ｅ  乾燥機
５  両替機
６  洗面台
７  開閉扉
２０  フレーム
２０ａ  上部水平フレーム
２０ｂ  下部水平フレーム
２０ｃ  垂直フレーム
２２  嵌め殺し窓
２３  窓部材
２４  窓枠部材
２５，２６  鍔部材
２７  タッピングねじ
２８  コーキング
７０  嵌め殺し窓
【図１】
2010101102.tif 000003
【図２】
2010101102.tif 000004
【図３】
2010101102.tif 000005
【図４】
2010101102.tif 000006
【図５】
2010101102.tif 000007
【図６】
2010101102.tif 000008
【図７】
2010101102.tif 000009